【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
建設機械の周辺の所定の範囲において物体の存在を検知可能な測域センサと、
前記建設機械の制動距離に応じて前記測域センサの検知範囲を設定可能な検知範囲設定手段と、
前記測域センサの検知結果に基づいて前記建設機械の走行を停止制御する停止制御手段と、を少なくとも有する
ことを特徴とする建設機械の後進時衝突防止装置。
【請求項２】
前記検知範囲設定手段は、
前記建設機械の側方の所定の範囲を前記測域センサの検知範囲として設定可能である
請求項１に記載の建設機械の後進時衝突防止装置。
【請求項３】
さらに、前記停止制御を解除する停止制御解除手段と、
前記測域センサの検知結果に基づいて警報を行う警報手段と、を有し、
前記停止制御解除手段は、
運転者による停止制御解除操作によって前記停止制御を解除し、
前記警報手段は、
前記停止制御解除手段によって前記停止制御が解除された後も前記測域センサの検知結果に基づいて警報を行う
請求項１又は請求項２に記載の建設機械の後進時衝突防止装置。
【請求項４】
前記検知範囲設定手段は、
前記測域センサの検知範囲を垂直方向に角度調整可能な角度調整手段を含む
請求項１乃至請求項３のいずれかに記載の建設機械の後進時衝突防止装置。
【手続補正２】
【補正対象書類名】明細書
【補正対象項目名】全文
【補正方法】変更
【補正の内容】
【発明の詳細な説明】
【発明の名称】建設機械の後進時衝突防止装置
【技術分野】
【０００１】
本発明は、建設機械の後進時衝突防止装置に関する。
【背景技術】
【０００２】
従来、建設機械の前進時または後進時において、作業員等が建設機械と接触する事故を未然に防ぐために、バックカメラや超音波センサ、光学センサ、赤外線センサ等の障害物検出手段を建設機械に設置し、建設機械の移動範囲内に障害物や作業員等が存在することを検出し、建設機械のオペレータや建設機械の移動範囲内に立ち入った作業員等に注意を促すような衝突を防止する装置が建設機械に装着されていた。
【０００３】
例えば、特許文献１には、図１３（ａ）および図１３（ｂ）に示されるように、タイヤローラの前部および後部に超音波センサと赤外線センサとを設け、超音波センサと赤外線センサとからの入力信号にもとづいて、タイヤローラへの接近者に対して警報を出力し、さらに、自動的にタイヤローラのエンジンを止めたり、前後進レバーを中立位置にして当該タイヤローラを非常停止する発明が記載されている。
【０００４】
また、特許文献２には、図１４（ａ）に示されるように、トンネル坑内等で使用されるバッテリーロコの前方に連結される台車１の前部に、レーザースキャン装置を設け、障害物までの距離に応じて段階的に警報を出力するとともに、バッテリーロコの停止制御を行う発明が記載されている。
【先行技術文献】
【特許文献】
【０００５】
【特許文献１】特開平８−２１８３１０号公報
【特許文献２】特開２０１１−１０３０８４号公報
【発明の概要】
【発明が解決しようとする課題】
【０００６】
しかしながら、前述した従来の障害物検出装置や停止制御方法は、作業員が頻繁に立ち入る可能性のある建設現場や、周辺に構造物や障害物が複数存在する建設現場において、障害物の検知範囲を柔軟に設定したり一時的に検知を解除できるようなものではなかった。また、建設車両が走行する地盤に比較的大きな起伏があるような場合、当該地盤の起伏を障害物として誤検出してしまうという問題があった。
【０００７】
例えば、図１４（ｂ）に示されるように、障害物の検出装置２の検知範囲３に、地盤の起伏４が存在する場合、従来の検出装置や検出方法では頻繁に警報が発せられるとともに、建設機械の停止制御が実行されて度々建設機械が停止するような事態が発生してしまう。つまり、前述した特許文献１および特許文献２に記載された従来の装置は、建設機械の運転を再開するために検出された障害物を撤去することが前提となっており、図１４（ｂ）に例示したような撤去できない地盤の起伏がある状態で建設機械の運転を再開するには、検出装置自体を無能力化するしかない。
【０００８】
そこで、本願発明は、幅広い現場環境に好適に適用可能であるとともに、各種建設機械に容易に装着することが可能な建設機械の後進時衝突防止装置を提供することを目的とする。
【課題を解決するための手段】
【０００９】
（１）建設機械（建設機械１）の周辺の所定の範囲（検知範囲ＤＲ）において物体の存在を検知可能な測域センサ（測域センサ１０）と、前記建設機械（建設機械１）の制動距離に応じて前記測域センサ（測域センサ１０）の検知範囲を設定可能な検知範囲設定手段（設定操作盤１７）と、前記測域センサ（測域センサ１０）の検知結果に基づいて前記建設機械（建設機械１）の走行を停止制御する停止制御手段（駐車ブレーキバルブ２０）と、を少なくとも有することを特徴とする建設機械の後進時衝突防止装置。
【００１０】
上記（１）の構成によれば、測域センサ１０を使用することによって、建設機械１後方の検知範囲ＤＲにおいて障害物の存在や作業員の立ち入りを確実に検知することが可能となるとともに、地盤の起伏を障害物として誤検知する事態を抑制することが可能となる。さらに、後進時に障害物の存在や作業員の立ち入りを検知したことによって建設機械１の走行を自動的に停止させて接触事故を未然に防止することができる。また、検知範囲を設定可能な検知範囲設定手段（設定操作盤１７）により、建設機械１の制動能力に応じて建設機械１を適切に停止制御することが可能となる。
【００１１】
（２）前記検知範囲設定手段（設定操作盤１７）は、前記建設機械（建設機械１）の側方の所定の範囲（検知範囲ＤＲ）を前記測域センサ（測域センサ１０）の検知範囲として設定可能である上記（１）に記載の建設機械の後進時衝突防止装置。
【００１２】
上記（２）の構成によれば、上記（１）によって得られる効果に加えて、図１や図３に示されるように、建設機械１の側方の所定の範囲（検知範囲ＤＲ）を測域センサ１０の検知範囲として設定できるので、より確実に障害物との接触事故を未然に防ぐことが可能となる。
【００１３】
（３）さらに、前記停止制御を解除する停止制御解除手段（非常ブレーキ解除スイッチＢ）と、前記測域センサ（測域センサ１０）の検知結果に基づいて警報を行う警報手段と、を有し、前記停止制御解除手段（非常ブレーキ解除スイッチＢ）は、運転者による停止制御解除操作によって前記停止制御を解除し、前記警報手段（段落００３８等参照）は、前記停止制御解除手段（非常ブレーキ解除スイッチＢ）によって前記停止制御が解除された後も前記測域センサ（測域センサ１０）の検知結果に基づいて警報を行う上記（１）又は上記（２）に記載の建設機械の後進時衝突防止装置。
【００１４】
上記（３）の構成によれば、上記（１）又は（２）によって得られる効果に加えて、駐車ブレーキバルブ２０に通電して建設機械１への停止制御を解除する非常ブレーキ解除スイッチＢを設けることによって、障害物等の検知時や測域センサ２０の誤検知時、さらには建設機械１周辺を構造物等に囲まれた狭小箇所で建設機械１を走行させたい場合等に、再び建設機械１を移動することが可能となる。
【００１５】
（４）前記検知範囲設定手段は、前記測域センサ（測域センサ１０）の検知範囲を垂直方向に角度調整可能な角度調整手段（角度調整台座）を含む上記（１）乃至（３）のいずれかに記載の建設機械の後進時衝突防止装置。
【００１６】
上記（４）の構成によれば、上記（１）乃至（３）によって得られる効果に加えて、測域センサ（測域センサ１０）の検知範囲を垂直方向に角度調整可能な角度調整手段（角度調整台座）を設けることにより、例えば、図２（ａ）に示されるように、建設機械１における測域センサ１０の設置箇所が高い場合、斜め下方に検知範囲ＤＲを設定することによって、障害物を適切に検知することが可能となる。また、図２（ｂ）に示されるように、地盤に大きな起伏があるような現場環境においては、斜め上方に検知範囲ＤＲを設定することによって、地盤の起伏を誤検出するような事態の発生をさらに抑制することが可能となる。
【図面の簡単な説明】
【００１７】
【図１】本発明における、測域センサの検知範囲の一例を示す側面図および平面図である。
【図２】本発明の他の実施形態における、測域センサの検知範囲の一例を示す側面図である。
【図３】本発明の他の実施形態における、測域センサの検知範囲の一例を示す平面図である。
【図４】本発明における、測域センサの設置態様の一例を示す側面図および正面図である。
【図５】本発明における、測域センサの検知範囲および検知範囲の設定態様の一例を説明する図である。
【図６】本発明における、測域センサの検知距離を複数選択可能な設定操作盤の一例を示す正面斜視図である。
【図７】本発明の後進時衝突防止装置の制御態様において、建設機械のエンジン始動時の制御態様を説明する回路図である。
【図８】本発明の後進時衝突防止装置の制御態様において、建設機械の前進時の制御態様を説明する回路図である。
【図９】本発明の後進時衝突防止装置の制御態様において、建設機械の後進時の制御態様を説明する回路図である。
【図１０】本発明の後進時衝突防止装置の制御態様において、建設機械後進時に障害物等を検出した時の制御態様を説明する回路図である。
【図１１】本発明の後進時衝突防止装置の制御態様において、障害物等を検出した後、制動状態を解除した時の制御態様を説明する回路図である。
【図１２】本発明の後進時衝突防止装置の制御フローの一例を示すフローチャートである。
【図１３】特許文献１に記載された従来技術を説明する図である。
【図１４】特許文献２に記載された従来技術を説明する図である。
【発明を実施するための形態】
【００１８】
以下、図面を参照しつつ、本発明の建設機械の後進時衝突防止装置（以下では、単に「衝突防止装置」と記載することがある。）について、実施例に基づいて説明する。
【００１９】
本発明の建設機械の後進時衝突防止装置の一実施例として、図１（ａ）および図１（ｂ）には、建設機械１（図示の実施例はホイールローダである。）への衝突防止装置の装着例を示す側面図および平面図が示されている。本実施例では、建設機械１の後部のカウンタウエイト上に測域センサ１０が設置され、建設機械１が後進する際、当該建設機械１の後方に存在する障害物や作業員等を検知する測域センサ１０の検知範囲ＤＲが設定されている。
【００２０】
本実施例で使用される測域センサ１０は、図４（ａ）の正面図および図４（ｂ）の側面図に示されるような外観形状を有し、半導体レーザが光学窓１１から照射され、検知範囲ＤＲをスキャンすることで、当該検知範囲ＤＲ内に存在する障害物や作業員等を検知するものである。
【００２１】
また、上記測域センサ１０は、図５（ａ）に示されるように、最大の検知角度ＤＡが２７０度の１軸走査型の測域センサ１０であり、広範囲の検知範囲ＤＲを設定することが可能となっている。さらに、図５（ｂ）に示されるように、最大の検知距離Ｌは６ｍであり、例えば、図５（ｂ）に図示されている検知範囲ＤＲ−Ａのように、任意の二次元形状を検知範囲ＤＲとして設定することが可能である。
【００２２】
さらに、上記測域センサ１０は応答時間が６６ｍｓｅｃと非常に高速であるので、建設機械１の後進時に突然作業員が建設機械１の後方に立ち入った場合であっても即座に検知することが可能である。
【００２３】
上記測域センサ１０の建設機械１への設置態様については、図１（ｂ）に示されるように建設機械１の後部に設置し、建設機械１の後方に存在する作業員や車両、構造物等の障害物を検知するために、検知高さｈが概ね１〜１．５ｍとなるように測域センサ１０を設置している。
【００２４】
また、検知幅Ｗは建設機械１の幅員に応じて適宜設定すること可能である。なお、測域センサ１０は前述したように検知可能範囲において任意の二次元形状の検知範囲ＤＲを設定することが可能であるので、当該測域センサの設置位置が建設機械１の中心位置から左右にずれていても、図１（ｂ）に示されるように適切な検知範囲ＤＲを設定することが可能である。
【００２５】
また、建設機械１後方の検知距離Ｌについては、本発明の衝突防止装置が装着される建設機械１の制動能力に応じて設定される。すなわち、想定される建設機械１の後進時の走行速度域において、測域センサ１０が建設機械１後方の障害物を検知してから建設機械１が自動的に停止するまでの制動距離に応じて、障害物との衝突を十分に回避できる距離を検知距離Ｌとして設定する。
【００２６】
本実施例では、図６に示されているような、測域センサ１０の検知距離Ｌを複数の検知距離Ｌの中から選択可能な設定操作盤１７を建設機械１の運転席周辺に設けている。
【００２７】
上記設定操作盤１７には、設定される検知距離Ｌごと（本実施例では４ｍ、５ｍ、６ｍの３種類）に設けられた検知距離設定スイッチ１８が配置され、設定状態に応じて点灯するランプ１８ａが配置されている。これにより、衝突防止装置が装着される建設機械１の制動能力（制動距離）に応じて容易に検知距離Ｌの設定が可能となる。
【００２８】
また、上記設定操作盤１７には、衝突防止装置の稼動状態を示す稼動ランプ１９が配置されており、当該稼動ランプ１９の点灯によって、衝突防止装置が有効に稼動し、検知範囲ＤＲの障害物検知機能が働いていることを、建設機械１のオペレータが常に確認することができる。
【００２９】
（制御構成）
以下に、本実施例の制御構成について、図７〜１１の制御回路図１００および図１２の制御フローにもとづいて説明する。
【００３０】
図７には、建設機械１のエンジン始動時の制御回路図が示され、通電状態が太線で図示されている。前後進操作レバー５０がニュートラル状態において、エンジンの始動操作によってスタータスイッチ４０がＯＮ状態となり、図示のような通電状態となる。なお、駐車ブレーキスイッチＰＢはＯＮ状態であるとき、図示のようにオープン状態となり、駐車ブレーキバルブ２０に通電されないため、建設機械１の車輪は制動状態が維持されて停止している。（図１２のＳ２００）
【００３１】
図８には、建設機械１が前進する際の制御回路図が示され、通電状態が太線で図示されている。建設機械１のオペレータが駐車ブレーキスイッチＰＢを押圧操作してＯＦＦ状態（制動解除）にし（図１２のＳ２０１）、さらに、前後進操作レバー５０を前進位置に変位させることで、図示のような通電状態となる。測域センサ１０内の制御回路内では、障害物の検知時以外、制御スイッチＳＳＷが図示のようにクローズ状態となっており、駐車ブレーキバルブ２０に通電されるので、建設機械１の車輪は制動状態が解除されて前進することが可能となる。（図１２のＳ２０２）
【００３２】
図９には、建設機械１が後進する際の制御回路図が示され、通電状態が太線で図示されている。建設機械１のオペレータが駐車ブレーキスイッチＰＢを押圧操作してＯＦＦ状態（制動解除）にし（図１２のＳ２０１）、さらに、前後進操作レバー５０を後進位置に変位させることで、図示のような通電状態となる。前後進操作レバー５０が後進位置に変位されると、測域センサ１０の電源回路に通電され、当該測域センサ１０は稼動状態となり、検知範囲ＤＲにおける障害物の検知動作が開始される（図１２のＳ２０３）。
【００３３】
併せて、建設機械１の運転席に設けられている設定操作盤１７（図６参照）において、稼動ランプ１９が点灯され、建設機械１のオペレータは衝突防止装置が有効に稼動していることを確認することができる。検知範囲ＤＲ内において障害物が検知されていない場合は、図示されるように測域センサ１０内の制御スイッチＳＳＷがクローズ状態となって駐車ブレーキバルブ２０に通電されるので、建設機械１の車輪は制動状態が解除され、後進することが可能となる。
【００３４】
図１０には、建設機械１の後進中において、測域センサ１０が建設機械１後方の検知範囲ＤＲ内において障害物を検知した際の制御回路図が示され、通電状態が太線で図示されている。測域センサ１０が検知範囲ＤＲ内において障害物を検知したことにもとづいて、当該測域センサ１０内の制御スイッチＳＳＷが図示されるようにただちにオープン状態となる。これにより、駐車ブレーキバルブ２０は電断状態（図１２のＳ２０４）となって建設機械１の車輪に制動力が加わり、建設機械１が停止する（図１２のＳ２０５）。
【００３５】
図１１には、測域センサ１０が検知範囲ＤＲ内において障害物を検知したことにもとづいて建設機械１が停止した後、再び後進する際の制御回路図が示され、通電状態が太線で図示されている。検知範囲ＤＲ内で検知された障害物が、作業員や他の建設機械など、容易に検知範囲ＤＲ外に移動可能なものであれば、障害物が検知範囲ＤＲ外に離脱した時点で非検知状態となって（図１２のＳ２０６）、測域センサ１０内の制御スイッチＳＳＷがクローズ状態となり、駐車ブレーキバルブ２０に通電される。これにより、建設機械１の車輪は制動状態が解除され、再び後進することが可能となる。
【００３６】
しかし、検知された障害物が構造物や地盤の起伏等であった場合は、検知範囲ＤＲから容易に移動することができないので、その後、全く建設機械１が後進できないこととなる。本実施例ではこのような事態に対処するために、図１１に示されるように非常ブレーキ解除スイッチＢが建設機械１の運転席周辺に設けられている。当該非常ブレーキ解除スイッチＢをオペレータが操作（図１２のＳ２０６）することよって駐車ブレーキバルブ２０に通電することが可能となり、建設機械１の車輪の制動状態が解除（図１２のＳ２０７）されて再び後進することが可能となる。
【００３７】
本実施例では、上記非常ブレーキ解除スイッチＢを前後進操作レバー５０のグリップ部に設け、前後進操作レバー５０の操作と、非常ブレーキ解除スイッチＢの操作とをグリップ部から手を離すことなく行えるようにして操作性の向上を図っている。
【００３８】
なお、本実施例では上記非常ブレーキ解除スイッチＢの操作によって建設機械１の車輪の制動状態が解除された場合であっても、測域センサ１０の検知機能自体は解除されないので、引き続き建設機械１後方の障害物を検知し、オペレータや周辺作業員等に対して警報音等によって報知が行われる。当該報知態様としては、障害物の存在だけでなく、障害物までの距離等を認識できるように逐次音声等によって報知する構成とすることが好ましい。
【００３９】
（他の実施形態）
本発明に係る建設機械の後進時衝突防止装置の実施例については上記したとおりであるが、本発明の実施形態は必ずしも上記実施例に限定されるものではない。
【００４０】
例えば、上記実施例で使用されている測域センサ１０は、１軸走査型の測域センサ１０を使用し、検知範囲ＤＲを二次元形状で設定するものであったが、２軸走査型の測域センサ１０を使用し、検知範囲ＤＲを三次元形状で設定することも可能である。これにより、より障害物の検知精度を高めることが可能となる。
【００４１】
また、上記実施例では、図１（ａ）に示されるように、測域センサ１０の検知範囲ＤＲを水平状態にある建設機械１と平行に設定していたが、このような態様に限定されるものではなく、例えば、図２（ａ）に示されるように、斜め下方に検知範囲ＤＲを設定することも可能であり、このようにすることで、測域センサ１０を建設機械１の高い箇所に設置せざるを得ない場合であっても、障害物を適切に検知することが可能となる。
【００４２】
さらに、図２（ｂ）に示されるように、斜め上方に検知範囲ＤＲを設定することも可能であり、このようにすることで、地盤に大きな起伏があるような現場環境において、地盤の起伏を障害物として誤検出するような事態の発生をさらに抑制することが可能となる。
【００４３】
また、上記実施例では、図１（ｂ）に示されるように、建設機械１の後部に一つの測域センサ１０を設けて検知範囲ＤＲを設定していたが、複数の測域センサ１０を建設機械１に設置するようにしてもよく、例えば、図３に示されるように、二つの測域センサ１０ａおよび１０ｂを建設機械１後部の側方に設置し、それぞれ検知範囲ＤＲ１およびＤＲ２を設定することで、建設機械１の側方を含めた広い範囲の障害物を検出することが可能となる。
【００４４】
また、上記実施例では、図１（ａ）に示されるように、建設機械１の後部のカウンタウエイト上に測域センサ１０を設置しているが、建設機械１の機種によっては必ずしも測域センサ１０の設置面が水平面であるとは限らない。さらに、上記段落００４１、００４２に記載されているように、検知範囲ＤＲを下方または上方に傾斜させる場合においても、測域センサ１０の設置面の角度調整が必要となることがある。このような状況に対応するために、例えば、図４に示される角度調整台座を建設機械１と測域センサ１０との間に設けてもよい。
【００４５】
図４に示される角度調整台座は、建設機械１の設置面に固定板１３とセンサ載置板１２を有し、センサ載置板１２は一方がヒンジピン１４で回転可能に構成され、他方のナット１５を緩めることで摺動溝１６の範囲内で角度調整することができるように構成されている。このような構成によって、光学窓１１から照射されるレーザ光の照射方向（角度）ＩＤを適切に調整することが可能となる。
【００４６】
本実施例では、上記非常ブレーキ解除スイッチＢを前後進操作レバー５０のグリップ部に設けているが、当該非常ブレーキ解除スイッチＢの操作方法として、オペレータが押圧操作を継続している間のみ、駐車ブレーキバルブ２０に通電し、建設機械１の車輪の制動状態が解除されるように構成してもよい。このように構成することにより、オペレータが安易に制動状態を解除したまま建設機械１の運転を行うという事態を防ぐことができる。
【００４７】
以上、本発明の様々な実施形態について図面にもとづいて説明したが、具体的な構成は、これらの実施形態に限定されるものではない。本発明の範囲は、上記した実施形態の説明ではなく特許請求の範囲によって示され、さらに特許請求の範囲と均等の意味および範囲内でのすべての変更が含まれる。また、上記実施例に記載された具体的な寸法形状等は本発明の課題を解決する範囲において、変更が可能である。
【符号の説明】
【００４８】
１    建設機械
１０  測域センサ
２０  駐車ブレーキバルブ
ＤＲ  検知範囲
Ｂ    非常ブレーキ解除スイッチ